(57)【要約】   【課題】簡単な構造で波板スレートの取付強度が向上する軒樋吊金具取付構造を提供することを目的とする。  【解決手段】  軒樋吊金具取付構造１１は、屋根部１２ａと屋根部１２ａから湾曲して下垂される軒先部１２ｂとから成る波板スレート屋根１２の軒先部１２ｂに取付板１３と吊金具１４を介して軒樋１５が取付けられる。吊金具１４は垂直部１４ａと水平部１４ｂから成り、吊金具１４の垂直部１４ａを取付ける取付板１３が軒先部１２ｂと建物１６の躯体１７との間に挿入され、取付板１３は一体的に第一の固定具１８を介して躯体１７に固定される。取付板１３は略矩形平板状の一対のベース部１３ａと、一対のベース部１３ａに挟まれて軒先部１２ｂの波形状の頂部１２ｃに向かって突出する突出部１３ｃを備える。突出部１３ｃの水平断面形状は、側壁１３ｄと頂部１３ｅと斜部１３ｆで形成され波形状内に収まる大きさである。【選択図】  図１
2008050914.tif 000002
【特許請求の範囲】
【請求項１】
波板スレート屋根用の軒樋吊金具取付構造であって、
前記波板スレート屋根は屋根部と屋根部から湾曲して建物の躯体に沿って下垂される軒先部とから成り、軒樋用の吊金具を固定する取付板が前記軒先部と躯体との間に挿入されるとともにネジ等の第一の固定具を介して前記躯体に固定され、
前記取付板の中央部に前記軒先部の波形状の頂部に向かって突出する突出部を備え、この突出部の内面に前記吊金具がボルト・ナット等の第二の固定具を介して固定されることを特徴とする軒樋吊金具取付構造。
【請求項２】
請求項１に記載の軒樋吊金具取付構造であって、前記軒先部に前記第一の固定具のネジ頭を挿入する下穴が形成されることを特徴とする軒樋吊金具取付構造。
【請求項３】
請求項１又は請求項２に記載の軒樋吊金具取付構造であって、前記取付板の両側部に矩形状の仮係止片がその両辺と下辺を切欠き上辺を中心に折り曲げて前記両側部から突出して形成されることを特徴とする軒樋吊金具取付構造。
【請求項４】
請求項１乃至請求項３のいずれか1項に記載の軒樋吊金具取付構造であって、前記吊金具又は前記取付板の少なくとも一方に前記第二の固定具用の上下方向の長孔が形成されることを特徴とする軒樋吊金具取付構造。
【発明の詳細な説明】
【技術分野】
【０００１】
本発明は、建築物の波板スレート屋根の軒樋吊金具取付構造に関し、詳しくは、波板スレート屋根に軒樋吊金具が安定して取付けられる軒樋吊金具取付構造に関する。
【背景技術】
【０００２】
従来、軒樋を吊金具を用いて折板屋根に取付ける軒樋吊金具取付構造が例えば特許文献１に開示されている。
【０００３】
図７に示すように、特許文献１の軒樋吊金具取付構造Ｆは、吊金具の垂直部としてのボルト１と水平部としての軒樋支持部材２と当接板３で構成される。軒樋５は耳部５１を介して軒樋支持部材２に係止される。
【０００４】
軒樋支持部材２にボルト１を挿通させた後、ボルト頭３５とナット６で軒樋支持部材２を挟み込むことで軒樋支持部材２はボルト１の下端に固定される。
【０００５】
ボルト１の上端は折板屋根４の山部４１に開けた丸孔４３に挿通して一対のナット９、１０で折板屋根４の山部４１に固定される。
【０００６】
当接板３は、折板屋根４の谷部４２の下面に当接可能な長さの本体部３１と、その本体部３１の両端に折板屋根４の谷部４２の角部に当接して係止可能な一対の折曲片３２，３２とで形成され、本体部３１の中央に形成された固定用丸孔３３にボルト１を挿通しナット７、８によって固定される。
【０００７】
軒樋支持部材２と当接板３は、一枚の帯状金属板の両端を折曲加工することによって形成され、軒樋支持部材２と当接板３は直交して取付けられる。
【０００８】
このため、当接板３は折曲片３２，３２によって折板屋根４の谷部４２の角部に係止するのでボルト１の横揺れを確実に防止して、折板屋根４の丸孔４３近傍の損傷が防止できる。
【０００９】
ところが、金属系材質で折曲げ加工される折板屋根に比べて、スレート材質で加工される波板スレート屋根の場合には、図８に示すように、波板スレート屋根６２は屋根部６２ａと屋根部６２ａから湾曲して下垂される軒先部６２ｂとが連続して形成される。そして、軒先部６２ｂは、建物６６のアングル材６９に固定された躯体６７に当接して固定具７０で躯体６７に固定される。
【００１０】
軒樋吊金具取付構造６１は、吊金具６４が垂直部６４ａと水平部６４ｂから成り、水平部６４ｂに軒樋６５が係止され、垂直部６４ａが軒先部６２ｂにボルト・ナットによる固定具６３で直接固定される。
【特許文献１】特開平８−１５８５５７号公報
【発明の開示】
【発明が解決しようとする課題】
【００１１】
ところが、垂直部６４ａが軒先部６２ｂに直接取付けられる構成では、施工時の固定具６３の締め具合や軒樋６５の荷重による経年劣化等により固定具６３近傍の垂直部６４ａが磨耗・破損して波板スレート屋根の取付強度が低下するという問題があった。
【００１２】
そこで、本発明はかかる従来技術の問題に鑑みなされたものであって、波板スレート屋根の取付強度が向上する軒樋吊金具取付構造を提供することを目的とする。
【課題を解決するための手段】
【００１３】
請求項１の発明は、波板スレート屋根用の軒樋吊金具取付構造であって、前記波板スレート屋根は屋根部と屋根部から湾曲して建物の躯体に沿って下垂される軒先部とから成り、軒樋用の吊金具を固定する取付板が前記軒先部と躯体との間に挿入されるとともにネジ等の第一の固定具を介して前記躯体に固定され、前記取付板の中央部に前記軒先部の波形状の頂部に向かって突出する突出部を備え、この突出部の内面に前記吊金具がボルト・ナット等の第二の固定具を介して固定されることを特徴としている。
【００１４】
請求項２の発明は、請求項１に記載の軒樋吊金具取付構造であって、前記軒先部に前記第一の固定具のネジ頭を挿入する下穴が形成されることを特徴としている。
【００１５】
請求項３の発明は、請求項１又は請求項２に記載の軒樋吊金具取付構造であって、前記取付板の両側部に矩形状の仮係止片がその両辺と下辺を切欠き上辺を中心に折り曲げて前記両側部から突出して形成されることを特徴としている。
【００１６】
請求項４の発明は、請求項１乃至請求項３のいずれか1項に記載の軒樋吊金具取付構造であって、前記吊金具又は前記取付板の少なくとも一方に前記第二の固定具用の上下方向の長孔が形成されることを特徴としている。
【発明の効果】
【００１７】
請求項１記載の発明によれば、軒樋用の吊金具を固定する取付板が前記軒先部と躯体との間に挿入されるとともにネジ等の第一の固定具を介して前記躯体に固定されるので、軒樋荷重を躯体によって安定して確実に受持つことができる。このため、波板スレート屋根は施工時の固定具の締め具合や経年劣化等に殆ど影響されないので破損することがなくなり取付強度が向上する。
【００１８】
また、前記取付板の中央部に前記軒先部の波形状の頂部に向かって突出する突出部を備え、この突出部の内面に前記吊金具がボルト・ナット等の第二の固定具を介して固定されるので、突出部が前記軒先部のスレート材に直接接触することがないので波板スレート屋根を損傷することがない。また、第二の固定具が見えないので外観が良くなり品質向上する。
【００１９】
請求項２記載の発明によれば、前記第一の固定具を前記躯体にネジ込んで固定した際に、前記第一の固定具のネジ頭が前記下穴に挿入されるので前記軒先部が第一の固定具と縁切り状態となり前記軒先部には軒樋荷重が全く掛からない。このため、請求項１の効果と同じ効果をさらに確実に得ることができる。
【００２０】
請求項３記載の発明によれば、前記取付板の両側部に矩形状の仮係止片がその両辺と下辺を切欠き上辺を中心に折り曲げて前記両側部から突出して形成されるので、施工時に仮係止片を介して前記取付板を躯体に安定して仮係止できるので現場施工が容易となり作業性が向上する。
【００２１】
請求項４記載の発明によれば、前記吊金具又は前記取付板の少なくとも一方に前記第二の固定具用の上下方向の長孔が形成されるので、現場状況に合わせて上下方向のスライド位置合わせができるので取付作業が確実容易にできる。
【発明を実施するための最良の形態】
【００２２】
＜軒樋吊金具取付構造の構成＞  
以下に、本発明の第1の実施形態を図１〜図５に基づいて説明する。
【００２３】
図１、図２に示すように、本発明の軒樋吊金具取付構造１１は波板スレート屋根１２に対応するもので、波板スレート屋根１２は屋根部１２ａと屋根部１２ａから湾曲して建物１６の躯体１７に沿って下垂される軒先部１２ｂとから成る。
【００２４】
躯体１７はＣ型チャンネル材で、その断面形状は上面１７ａが幅１００ｍｍ、側面１７ｂが高さ５０ｍｍ、下面１７ｃは両側面１７ｂから内側にそれぞれ幅略２０ｍｍで延設され、上面１７ａが水平となるようにアングル材１９を介して建物１６に固定されている。
【００２５】
軒先部１２ｂの断面形状はピッチＰ＝１３０ｍｍ、波高Ｑ＝略３８ｍｍで、波形状の頂部でチャンネルボルト２０によって躯体１７に係止される。チャンネルボルト２０の取付けピッチＰ１はＰ１≧Ｐ×２の関係であり図２においてはＰ＝２６０ｍｍである。そして、軒先部１２ｂの波形状の頂部を貫通してパッキン材２０ａとワッシャ２０ｂとナット２０ｃで固定される。
【００２６】
軒樋１５は断面凹形状で、上端部にそれぞれ屋外側軒樋吊部としての凹状の耳部１５ａと屋内側軒樋吊部としての凸状の耳部１５ｂとを備える。吊金具１４は垂直部１４ａと水平部１４ｂから成り、軒樋１５の耳部１５ａと耳部１５ｂが吊金具１４の水平部１４ｂの耳保持部１４ｃと耳保持部１４ｄにそれぞれ保持される。
【００２７】
軒樋１５が水平部１４ｂで保持された状態で、垂直部１４ａを固定するための取付板１３が軒先部１２ｂと躯体１７との間に挿入される。取付板１３は軒先部１２ｂの隣接する二箇所の波形状の底部において第一の固定具１８を介して一体的に前記躯体１７に固定される。
【００２８】
ここで、第一の固定具１８としてのネジ１８aはネジ頭１８ｂとネジ部１８ｃから成る。そして、軒先部１２ｂの波形状の底部にはネジ１８aを挿入するための丸孔Ｒが形成され、ネジ部１８ｃが取付板１３の丸孔Ｒ１を挿通して躯体１７の側面１７ｂにネジ込んだ状態でネジ頭１８ｂは丸孔Ｒ内に納まった状態となる。より好ましくは、ネジ頭１８ｂが丸孔Ｒ内に納まった状態で、丸孔Ｒ内にコーキング処理等を施すことにより丸孔Ｒ部の劣化が防止できる。また、外観も良くなり品質が向上する。
【００２９】
取付板１３（板厚Ｔ３＝１、６ｍｍ）は全幅Ｓ＝１８０ｍｍで略矩形平板状の一対のベース部１３ａと、一対のベース部１３ａに挟まれて軒先部１２ｂの波形状の頂部１２ｃに向かって突出する突出部１３ｃ（高さＴ＝略３６ｍｍ）から成る。
【００３０】
突出部１３ｃの水平断面形状は、ベース部１３ａに直角で互いに平行な側壁１３ｄ（幅Ｓ１＝５０ｍｍ、高さＴ１＝１７ｍｍ）と、ベース部１３ａに平行な頂部１３ｅ（幅Ｓ２＝１２ｍｍ）と、側壁１３ｄと頂部１３ｅを角度α＝４５度で連結する斜部１３ｆ（高さＴ２＝略１９ｍｍ）で形成される。突出部１３ｃは軒先部１２ｂの波形状内に収まる大きさである。
【００３１】
この突出部１３ｃの頂部１３ｅと両斜部１３ｆに当接する湾曲形状の垂直部１４ａが第二の固定具２５を介して固定される。
【００３２】
第二の固定具２５は頂部１３ｅに設けられた長孔１３ｇに挿入される丸頭ボルト２５ａと蝶ナット２５ｂとスプリングワッシャー２５ｃと丸孔付矩形金具２５ｄとから成り、蝶ナット２５ｂの締付力が丸孔付矩形金具２５ｄを介して垂直部１４ａを頂部１３ｅと両斜部１３ｆに押付けて固定することができる。取付けた丸頭ボルト２５ａは軒先部１２ｂの波形状内に収まるので軒先部１２ｂに接触しない。
【００３３】
なお、波板スレート屋根１２の屋根部１２ａもチャンネルボルト２０ａを介して躯体２１に固定される。建物の側壁としての波板スレート２２は、その上部が躯体１７の内部に挿入された状態でアングル材１９ａを介して建物１６の躯体２１ａに固定される。
【００３４】
図３、図４に示すように、取付板１３（高さＨ＝２００ｍｍ）の突出部１３ｃの頂部１３ｅには、下端から高さＨ１＝１０ｍｍの位置から高さＨ２＝１００ｍｍに位置まで第二の固定具２５用の長孔１３ｇが設けられる。
【００３５】
また、頂部１３ｅの上端から高さＨ３＝１５ｍｍに亘って、角度α1＝１０度で傾斜部２６が突出部１３ｃの内部に向かって設けられる。この傾斜部２６によって、取付板１３を軒先部１２ｂと躯体１７との間に容易に挿入することができる。
【００３６】
取付板１３のそれぞれのベース部１３ａに矩形状の仮係止片２７が設けられる。仮係止片２７の上辺２７aはベース部１３ａの上端から高さＨ４＝１０ｍｍの位置に設けられ、両辺２７ｂ（長さＨ５＝３０ｍｍ）と下辺２７ｃ（幅Ｓ４＝１０ｍｍ）を切欠いて、上辺２７aを中心に突出部１３ｃとは反対側に角度α２＝１５度で折り曲げて形成される。下辺２７ｃの突出長さＷ＝略８ｍｍである。ここで、仮係止片２７は弾性変形するので、取付板１３を軒先部１２ｂと躯体１７との間に挿入する際に下辺２７ｃの突出長さＷが略ゼロとなり容易に挿入できるとともに、挿入後は突出長さＷ＝略８ｍｍに弾性復帰する。
【００３７】
図５に示すように、上記、吊金具１４は帯状材の垂直部１４ａと水平部１４ｂから成り、水平部１４ｂは中央部が略水平で、前部と後部は隆起して軒樋１５の耳部１５ａと耳部１５ｂを保持するための耳保持部１４ｃと耳保持部１４ｄが形成される。
【００３８】
水平部１４ｂの中央部に垂直部１４ａを位置調整可能に固定する長孔１４ｅが設けられる。
【００３９】
垂直部１４ａは水平断面が湾曲形状で下端に丸孔１４ｆを備えた水平部１４ｇを備え、この丸孔１４ｆと長孔１４ｅにボルト２８ａを挿入し蝶ナット２８ｂで固定することで垂直部１４ａと水平部１４ｂが連結する。垂直部１４ａには第二の固定具２５を挿入するための丸孔２９が上下方向に三箇所設けられる。
【００４０】
取付板１３と吊金具１４の垂直部１４ａと水平部１４ｂの材質は、防錆を考慮してステンレスや亜鉛メッキ鋼板等が用いられる。
【００４１】
＜軒樋吊金具取付構造の作用＞
上記のように、取付板１３が第一の固定具１８で躯体１７に固定された状態で、軒先部１２ｂの波形状の底部の丸孔Ｒ内にネジ頭１８ｂが納まる。このため、軒樋１５と吊金具１４の荷重が軒先部１２ｂに直接掛からないので波板スレート屋根１２の取付強度が飛躍的に向上する。
【００４２】
さらに、ネジ頭１８ｂが丸孔Ｒ内に納まる状態なので外観性に優れ品質が向上する。
【００４３】
取付板１３の突出部１３ｃ及び丸頭ボルト２５ａが軒先部１２ｂの波形状内に収まるので、軒先部１２ｂを傷つけることがなく波板スレート屋根１２の強度が向上する。
【００４４】
取付板１３の突出部１３ｃの頂部１３ｅに第二の固定具２５用の長孔１３ｇが設けられるので、軒樋１５の高さ調整が容易にできるので作業性が向上する。
【００４５】
取付板１３に矩形状の仮係止片２７が設けられるので、取付板１３を躯体１７に仮置きした状態で取付板１３の本取付作業が容易にできるので安全性が向上する。
【００４６】
＜本発明の第２の実施形態＞
本発明の第２の実施形態を図６に基づいて説明するが、図２に示す軒樋吊金具取付構造１１の構成と同構成部分については、図面に同符号を付して重複した説明を省略する。
【００４７】
図６に示すように、取付板３０は略矩形平板状のベース部１３ａと、ベース部１３ａの中央部に突出部３０ａを備える。突出部３０ａは断面視でベース部に直角で互いに平行な側壁３０ｂと両側壁３０ｂを連結する円弧部３０ｃとで形成される。そして、円弧部３０ｃは吊金具１４の垂直部１４ａの湾曲部に当接するように形成される。
【００４８】
以上、本発明の実施形態を図面に基づいて説明したが、上記の実施例はいずれも本発明の一例を示したものであり、本発明はこれらに限定されるべきでないということは言うまでもない。
【００４９】
たとえば、軒先部１２ｂの波形状の底部に第一の固定具１８のネジ頭１８ｂを挿入する丸孔Ｒが設けられずネジ頭１８ｂが露出する構成でも構わない。この場合でも、軒樋１５と吊金具１４の荷重が殆ど軒先部１２ｂに掛からず躯体１７によって受持たれるので軒先部１２ｂの取付強度は向上する。また、第一の固定具１８はボルト・ナット式でもよい。
【００５０】
取付板１３の突出部１３ｃの断面形状は矩形形状でも構わない。この場合、矩形形状の角部をアール加工して軒先部１２ｂとの接触を避けることが好ましい。
【００５１】
上下の位置調整用に、吊金具１４の垂直部１４ａに長孔を設け、取付板１３に三箇所の丸孔を設ける方法でもよい。
【００５２】
吊金具１４の垂直部１４ａと取付板１３の両方に長孔を設けても構わない。この場合さらに細かい位置調整ができる。
【００５３】
状況によれば、垂直部１４ａ又は取付板１３に設けられる丸孔は三箇所の代わりに一箇所でも構わない。
【図面の簡単な説明】
【００５４】
【図１】本発明の第１の実施形態における、軒樋吊金具取付構造１１の状態を示す一部透視側面図である。
【図２】本発明の第１の実施形態における、図１のＡ−Ａ矢視図である。
【図３】本発明の第１の実施形態における、図２の取付板１３におけるＢ−Ｂ矢視図である。
【図４】本発明の第１の実施形態における、図２の取付板１３におけるＣ−Ｃ断面図である。
【図５】本発明の第１の実施形態における、吊金具１４の斜視図である。
【図６】本発明の第２の実施形態における、取付板３０の状態を示す断面矢視図である。
【図７】従来の軒樋吊金具取付構造Ｆの状態を示す側面図である。
【図８】従来の他の軒樋吊金具取付構造６１の状態を示す一部透視側面図である。
【符号の説明】
【００５５】
１１  軒樋吊金具取付構造
１２  波板スレート屋根
１２ａ  屋根部
１２ｂ  軒先部
１２ｃ  頂部
１３  取付板
１３ａ  ベース部
１３ｃ  突出部
１３ｄ  側壁
１３ｅ  頂部
１３ｆ  斜部
１４ａ  垂直部
１４ｂ  水平部
１５  軒樋
１６  建物
１７  躯体
１８  第一の固定具
【図１】
2008050914.tif 000003
【図２】
2008050914.tif 000004
【図３】
2008050914.tif 000005
【図４】
2008050914.tif 000006
【図５】
2008050914.tif 000007
【図６】
2008050914.tif 000008
【図７】
2008050914.tif 000009
【図８】
2008050914.tif 000010